(57)【要約】【課題】一度に多数の被塗装品を塗装ラインのレールに掛けることができ、しかも、塗装ライン外において行う、塗装終了後の被塗装品の取り外し作業が容易に行える塗装用治具を提供することにある。【解決手段】多数の被塗装品としての笠木６を塗装ラインのレール７に掛けるための塗装用治具において、一対の平行な縦桟２と、縦桟２間に互いに平行に固定された複数本の横桟３とからなる治具本体１と、横桟３間における縦桟２間に、横桟３と平行に張り渡されたストッパー４とからなり、笠木６は、フック５を介して横桟３に所定の間隔をあけて掛けられ、最上段の横桟３ａは、レール７に掛けられ、笠木６は、塗装終了後、治具本体１を水平に倒した際に、ストッパー４に当接する。【選択図】図１
2016131931.tif 000002
【特許請求の範囲】
【請求項１】
多数の被塗装品を塗装ラインのレールに掛けるための塗装用治具において、
一対の平行な縦桟と、前記縦桟間に互いに平行に固定された複数本の横桟とからなる治具本体と、前記横桟間における前記縦桟間に、前記横桟と平行に張り渡されたストッパーとからなり、前記被塗装品は、フックを介して前記横桟に所定の間隔をあけて掛けられ、最上段の前記横桟は、前記レールに掛けられ、前記被塗装品は、塗装終了後、前記治具本体を水平に倒した際に、前記ストッパーに当接することを特徴とする塗装用治具。
【請求項２】
前記フックは、Ｓ字状に形成され、上端は、前記横桟に掛けられ、下端は、前記被塗装品に掛けられることを特徴とする、請求項１に記載の塗装用治具。
【請求項３】
前記被塗装品は、前記フックが通される開口が形成されていることを特徴とする、請求項１または２に記載の塗装用治具。
【請求項４】
前記被塗装品は、高欄の笠木からなることを特徴とする、請求項１から３の何れか１つに記載の塗装用治具。
【発明の詳細な説明】
【技術分野】
【０００１】
この発明は、塗装用治具、特に、一度に多数の被塗装品を塗装ラインのレールに掛けることができ、しかも、塗装ライン外において行う、塗装終了後の被塗装品の取り外し作業が容易に行える塗装用治具に関するものである。
【背景技術】
【０００２】
被塗装品を塗装ラインのレールに掛けるための塗装用治具の一例を、図面を参照しながら説明する。以下、この塗装用治具を従来塗装用治具という。
【０００３】
以下、従来塗装用治具により、被塗装品としての、高欄の笠木を塗装ラインで塗装する場合を例にあげて説明する。なお、笠木とは、高欄の端部を塞ぐための鋼板製部材である。
【０００４】
図５は、従来塗装用治具を示す正面図、図６は、従来塗装用治具に掛けられた笠木を示す斜視図である。
【０００５】
図５および図６に示すように、従来塗装用治具は、塗装ラインのレールに掛けられる係止部１１ａが上端に形成された棒状の治具本体１１と、治具本体１１にその長手方向に間隔をあけて固定された、先端に笠木１２が掛けられるフック１３ａが上向きに形成された複数本の係止部材１３とからなっている。
【０００６】
上記従来塗装用治具により笠木１２を塗装ラインに乗せて塗装するには、係止部材１３のフック１３ａを笠木１２に形成された開口１２ａに通して、笠木１２を治具本体１１に掛ける。
【０００７】
次いで、このようにして、複数個の笠木１２が掛けられた従来塗装用治具を、その治具本体１１のフック１１ａを塗装ラインのレールに掛けることによって、塗装ラインに乗せる。
【０００８】
そして、笠木１２の塗装が終了したら、従来塗装用治具を人手によって塗装ラインのレールから離脱させ、塗装ライン外にて治具本体１１から塗装が終了した笠木１２を手で取り外す。
【０００９】
このようにして、従来塗装用治具により笠木１２に塗装が施される。
【００１０】
なお、ここでは、被塗装品として、笠木１２を例にあげたが、係止部材１３のフック１３ａに掛けられる程度の大きさの被塗装品であれば、笠木１２以外の被塗装品であっても同様に塗装することができる。
【発明の概要】
【発明が解決しようとする課題】
【００１１】
上述した従来塗装用治具によれば、一度に複数個の被塗装品に塗装ラインのレールに掛けことができるが、以下のような問題があった。
【００１２】
（ａ）従来塗装用治具の治具本体１１は、棒状をなし、笠木１２は、治具本体１１に縦一列に掛けられるので、一本の従来塗装用治具に掛けられる笠木１２の数は限られる（図５に示す例では、５本）。この結果、従来塗装用治具の一本当たりの塗装効率が悪い。
【００１３】
（ｂ）塗装が終了した笠木１２を従来塗装用治具から取り外すには、複数個の笠木１２が掛けられた従来塗装用治具を塗装ラインのレールから離脱させ、塗装ライン外にて治具本体１１から塗装終了後の笠木１２を手で取り外すが、一つの従来塗装用治具に掛けられた被塗装品の数は少ないので、従来塗装用治具を数多く塗装ラインに掛けるため、従来塗装用治具を塗装ラインから離脱させる間隔が短い。また、塗装ラインから離脱させた従来塗装用治具から笠木１２を取り外す作業を前記離脱作業と人手によって同時に行う必要があるため、作業が煩雑となる。
【００１４】
従って、この発明の目的は、一度に多数の被塗装品を塗装ラインのレールに掛けることができ、しかも、塗装ライン外において行う、塗装終了後の被塗装品の取り外し作業が容易に行える塗装用治具を提供することにある。
【課題を解決するための手段】
【００１５】
この発明は、上記目的を達成するためになされたものであって、下記を特徴とする。
【００１６】
請求項１に記載の発明は、多数の被塗装品を塗装ラインのレールに掛けるための塗装用治具において、一対の平行な縦桟と、前記縦桟間に互いに平行に固定された複数本の横桟とからなる治具本体と、前記横桟間における前記縦桟間に、前記横桟と平行に張り渡されたストッパーとからなり、前記被塗装品は、フックを介して前記横桟に所定の間隔をあけて掛けられ、最上段の前記横桟は、前記レールに掛けられ、前記被塗装品は、塗装終了後、前記治具本体を水平に倒した際に、前記ストッパーに当接することに特徴を有するものである。
【００１７】
請求項２に記載の発明は、請求項１に記載の発明において、前記フックは、Ｓ字状に形成され、上端は、前記横桟に掛けられ、下端は、前記被塗装品に掛けられることに特徴を有するものである。
【００１８】
請求項３に記載の発明は、請求項１または２に記載の発明において、前記被塗装品は、前記フックが通される開口が形成されていることに特徴を有するものである。
【００１９】
請求項４に記載の発明は、請求項１から３の何れか１つに記載の発明において、前記被塗装品は、高欄の笠木からなることに特徴を有するものである。
【発明の効果】
【００２０】
この発明によれば、塗装用治具がユニット化されているので、複数本の横桟の各々に被塗装品を掛けることができ、一度に多数の被塗装品を塗装ラインのレールに掛けることができる。この結果、塗装用治具の一台当たりの塗装効率が高い。
【００２１】
また、塗装用治具は、塗装終了後、塗装ライン内で水平に倒されることにより、自動にて塗装ライン外に離脱される。この後、塗装ライン外にて被塗装品の塗装用治具から取り外し作業ができるため、作業効率が向上する。
【００２２】
この発明によれば、一つの塗装用治具に多数の被塗装品が掛けられるようにユニット化されているので、レールに掛けられた塗装用治具係止部の間隔は長い。この結果、余裕を持って塗装用治具を塗装ラインのレールから離脱されるため、被塗装品の塗装用治具から取り外しについても余裕を持って作業できる。
【００２３】
この発明によれば、塗装用治具がユニット化されており、水平に倒された状態にて、被塗装品を安定保持できるので、塗装ライン外の別作業で手による被塗装品の取り外し作業が容易に行える。
【００２４】
また、この発明によれば、被塗装品は、塗装用治具が水平に倒された際に、ストッパーに当接するので、被塗装品は、被塗装品をフックから取り外しやすい状態に維持される。この点からも、手による被塗装品の取り外し作業が容易に行える。
【図面の簡単な説明】
【００２５】
【図１】笠木が掛けられた、この発明の塗装用治具を示す正面図である。
【図２】笠木が掛けられた、この発明の塗装用治具を示す側面図である。
【図３】この発明の塗装用治具に使用するフックを示す正面図である。
【図４】笠木が掛けられた、この発明の塗装用治具が水平に倒された状態を示す側面図である。
【図５】従来塗装用治具を示す正面図である。
【図６】従来塗装用治具に掛けられた笠木を示す斜視図である。
【発明を実施するための形態】
【００２６】
この発明の塗装用治具の一実施態様を、被塗装品として高欄の笠木を例にあげて、図面を参照しながら説明する。
【００２７】
なお、被塗装品としては、後述する横桟に掛けられる程度の大きさの被塗装品であれば、笠木以外の被塗装品であっても良いことは勿論である。
【００２８】
図１は、笠木が掛けられた、この発明の塗装用治具を示す正面図、図２は、笠木が掛けられた、この発明の塗装用治具を示す側面図である。
【００２９】
図１および図２において、１は、治具本体である。治具本体１は、一対の平行な縦桟２と、縦桟２間に互いに平行に固定された複数本（この例では、７本）の横桟３となっている。４は、横桟３間における縦桟２間に、横桟３と平行に張り渡されたストッパーである。ストッパー４は、棒材あるいはワイヤーからなっている。
【００３０】
５は、図３に示すように、Ｓ字状に形成されたフックである。被塗装品としての笠木６は、フック５を介して横桟３に所定の間隔をあけて掛けられる。すなわち、フック５の上端は、横桟３に掛けられ、下端は、笠木６に形成された開口６ａに通され、これによって、笠木６は、横桟３に掛けられる。
【００３１】
最上段の横桟３ａには、係止部８が設けられ、治具本体１は、係止部８を介して塗装ラインのレール７（図１参照）に掛けられる。笠木６は、笠木６の塗装終了後、水平に倒されることにより、自動的にレール７から外され、その際、被塗装品は治具本体１のストッパー４に当接し、安定保持される。これによって、笠木６は、笠木６をフック５から取り外しやすい状態に維持される。この結果、手による笠木６の取り外し作業が容易に行える。
【００３２】
この発明の塗装用治具により笠木６を塗装ラインに乗せて塗装するには、治具本体１の、一本の横桟３にフック５を介して複数個（この例では、４個）の笠木６が掛けられた塗装用治具を塗装ラインのレール７に掛ける。
【００３３】
笠木６の塗装終了後、塗装用治具は、水平に倒されることにより、塗装ラインから離脱し、ライン外に移動する。塗装用治具が水平に倒されると、図４に示すように、笠木６は、その背面がストッパー４に当接する。これによって、笠木６は、安定保持されフック５から取り外しやすい状態に維持される。この結果、手による笠木６の取り外し作業が容易に行える。
【００３４】
このようにして、この発明の塗装用治具により笠木６に塗装が施される。
【００３５】
以上説明したように、この発明によれば、複数本の横桟３の各々に被塗装品としての笠木６を掛けることができるので、一度に多数の笠木６を塗装ラインのレール７に掛けることができる。この結果、塗装用治具の一台当たりの塗装効率が高い。
【００３６】
また、塗装用治具は、塗装終了後、水平に倒されることにより塗装ラインのレール７から自動的に外され、塗装ライン外に移動される。この結果、余裕を持って手による笠木６の取り外し作業が行える。
【００３７】
また、この発明によれば、笠木６は、塗装用治具が水平に倒された際に、ストッパー４に当接するので、笠木６は、笠木６をフック５から取り外しやすい状態に維持される。この点からも、手による笠木６の取り外し作業が容易に行える。
【符号の説明】
【００３８】
１：治具本体
２：縦桟
３：横桟
３ａ：最上段の横桟
４：ストッパー
５：フック
６：笠木
６ａ：開口
７：レール
８：係止部
１１：治具本体
１１ａ：係止部
１２：笠木
１２ａ：開口
１３：係止部材
１３ａ：フック
【図１】
2016131931.tif 000003
【図２】
2016131931.tif 000004
【図３】
2016131931.tif 000005
【図４】
2016131931.tif 000006
【図５】
2016131931.tif 000007
【図６】
2016131931.tif 000008